(57)【要約】【課題】屋根を損傷することなく、低コストで容易に補修作業の行うことのできる足場板を提供する。【解決手段】屋根の補修の際に当該屋根に設置されて作業員の作業用足場として用いられる足場板１０は、軽量材料からなる足場板本体１２と、足場板本体１２の下面に取り付けられた柔軟性を有する緩衝材１３と、を備える。【選択図】図１
2008174990.tif 000002
【特許請求の範囲】
【請求項１】
屋根上での作業の際に当該屋根に設置されて作業員の作業用足場として用いられる足場板であって、
軽量材料製の板材からなる足場板本体と、
前記足場板本体の下面に取り付けられた緩衝材と、
を備えることを特徴とする足場板。
【請求項２】
請求項１記載の足場板であって、
前記緩衝材の下面に取付けられた滑り防止材を備えることを特徴とする足場板。
【請求項３】
屋根上での作業の際に当該屋根に設置されて作業員の作業用足場として用いられる足場板であって、
軽量材料製の板材からなる足場板本体と、
前記足場板本体より下方に延び、軸方向に弾性的に伸縮可能な脚部材とを備えことを特徴とする足場板。
【請求項４】
前記脚部材は、シリンダと、シリンダ先端に取付けられた接地部と、前記足場板本体と前記接地部との間にシリンダを取り巻くように取付けられたばね部材とで構成されることを特徴とする請求項３記載の足場板。
【請求項５】
請求項４記載の足場板であって、
前記ばね部材の一部を縮めた状態で保持するばね固定部材を備えることを特徴とする足場板。
【請求項６】
前記脚部材は長さを自在に調整できるとともに、その長さを固定できる油圧シリンダであることを特徴とする請求項３記載の足場板。
【請求項７】
請求項１から６何れかに記載の足場板であって、
前記足場板本体の上面に取付けられた剛性を有する剛板を備えることを特徴とする足場板。
【請求項８】
請求項１から７何れかに記載の足場板を用いた屋根上での作業方法であって、
作業員が２個の前記足場板を屋根上に設置して、一方の足場板の上に乗った状態で他方の足場板を移動させ、この移動させた他方の足場板に乗り移った後、前記一方の足場板を移動させ、この移動させた前記一方の足場板に乗り移ることを繰り返すことにより屋根上を移動しながら作業を行う方法。
【発明の詳細な説明】
【技術分野】
【０００１】
本発明は足場板に関し、特に、屋根の補修工事などの際に屋根に設置されて、作業員の作業用足場として用いられる足場板に関する。
【背景技術】
【０００２】
瓦屋根やスレート屋根あるいはアクリル屋根等などの強度の低い材料からなる屋根は、過度な荷重が作用すると破損する虞がある。このため、このように強度の低い材料からなる屋根を補修する場合には、屋根を損傷しないように、屋根を覆うように仮設構造物を構築し、この仮設構造物を足場として用いて、補修工事をおこなっていた（例えば、特許文献１参照）。
【特許文献１】特開２００５−１２０７３６号公報
【発明の開示】
【発明が解決しようとする課題】
【０００３】
しかし、このような仮設構造物は大掛かりであり、仮設構造物を設けて屋根の補修を行う場合には、仮設構造物を構築するのに多大な費用と手間がかかるという問題がある。
【０００４】
本発明は、上記の問題に鑑みなされたものであり、その目的は、強度の低い材料からなる屋根であっても、屋根を破損することなく、低コストで容易に補修作業の行うことのできる足場板を提供することである。
【課題を解決するための手段】
【０００５】
本発明の足場板は、屋根上での作業の際に当該屋根に設置されて作業員の作業用足場として用いられる足場板であって、軽量材料製の板材からなる足場板本体と、前記足場板本体の下面に取り付けられた緩衝材と、を備えることを特徴とする。
前記緩衝材の下面に取付けられた滑り防止材を備えてもよい。
本発明によれば、緩衝材が屋根の上面の形状に合わせて変形し、屋根に局所的な荷重が作用するのを防止できるため、瓦屋根やスレート屋根が破損するのを防止できる。
【０００６】
また、本発明の足場板は、屋根上での作業の際に当該屋根に設置されて作業員の作業用足場として用いられる足場板であって、軽量材料製の板材からなる足場板本体と、前記足場板本体より下方に延び、軸方向に弾性的に伸縮可能な脚部材とを備えことを特徴とする。
【０００７】
上記の足場板において、前記脚部材は、シリンダと、シリンダ先端に取付けられた接地部と、前記足場板本体と前記接地部との間にシリンダを取り巻くように取付けられたばね部材とで構成されてもよい。前記ばね部材の一部を縮めた状態で保持するばね固定部材を備えてもよい。また、上記の足場板は、前記足場板本体の上面に取付けられた剛性を有する剛板を備えてもよい。さらに、前記脚部材は長さを自在に調整できるとともに、その長さを固定できる油圧シリンダであってもよい。かかる構成によれば、脚の長さを屋根の傾斜に合わせて自由に調整することにより、足場板を水平に保つことができる。
【０００８】
また、本発明は、上記の足場板を用いた屋根上での作業方法であって、作業員が２個の前記足場板を屋根上に設置して、一方の足場板の上に乗った状態で他方の足場板を移動させ、この移動させた他方の足場板に乗り移った後、前記一方の足場板を移動させ、この移動させた前記一方の足場板に乗り移ることを繰り返すことにより屋根上を移動しながら作業を行う方法を含むものとする。
【発明の効果】
【０００９】
本発明によれば、足場板本体の下部に設けた緩衝材が瓦屋根やスレート屋根の形状に合わせて変形することにより、作業員の荷重などが局所的に屋根にかかるのを防ぎ、屋根が破損するのを防止できる。また、足場板本体が簡単な構成であるため、施工性を向上するとともに、施工期間を短縮することができる。
【発明を実施するための最良の形態】
【００１０】
以下、本発明の足場板について図面を参照しながら、詳細に説明する。
＜第１実施形態＞
図１は、本発明の足場板の第１実施形態を示す斜視図である。本実施形態の足場板１０は、瓦屋根やスレート屋根の補修を行う際に屋根上に設置され、その上に作業員が乗って作業を行うための作業用足場として用いられるものである。
【００１１】
図１に示すように、本実施形態の足場板１０は、長方形状に形成された足場板本体１２と、足場板本体１２の上面に取付けられた剛板１１と、足場板本体１２の下面に取付けられた緩衝材１３と、緩衝材１３の下面に取付けられた滑り防止材１４とで構成される。
足場板本体１２としては、例えば発泡スチロールなどの軽量な材料を用いることができる。足場板本体１２は足場板１０の芯材として機能する。
【００１２】
剛板１１は、足場板本体１２を保護するための、アルミなどの剛性の高い材料からなる板材であり、表面には作業員の滑り防止のための凹凸１１Ａが設けられている。足場板本体１２は発泡スチロールなどからなるため、局所的に荷重が作用すると破損する虞があるが、足場板１０では剛板１１を足場板本体１２の上面に取付けることにより、局所的な荷重が作用しても、剛板１１により荷重が分散されて足場板本体１２に伝達されるため、足場板本体１２が破損するのを防止できる。
【００１３】
緩衝材１３としては、例えばスポンジなどの柔軟性を有する部材を用いることができる。緩衝材１３を足場板本体１２の下面に配置することにより、補修作業の際に足場板１０に作用する衝撃を吸収することができる。さらに、足場板１０を瓦屋根のように凹凸のある屋根上に敷設した場合には、緩衝材１３がその形状に合わせて変形し、荷重が広い面積に分散されて伝達されるため、屋根に局所的に荷重が作用し、屋根が破損してしまうのを防止することができる。
【００１４】
滑り防止材１４としては、例えば、ゴムシートなどの密着性が高く、かつ柔軟な部材を用いることができる。滑り防止材１４は、緩衝材１３とともに屋根の形状に合わせて変化し、屋根の表面に密着する。これにより、足場板１０と屋根との間で滑りが生じるのを防止することができる。
【００１５】
なお、屋根の補修などを行う場合には、例えば、屋根上に２枚の足場板１０を設置して、作業員が足場板１０の位置を交互に移動させることにより作業員は屋根上を移動することができる。すなわち、作業員は一方の足場板１０に乗った状態で、他方の足場板１０を自分が進みたい方向へ移動させた後、この他方の足場板１０に乗り移り、この状態で、前記一方の足場板１０を移動させるという手順を繰り返すことで、２枚の足場板１０を用いて屋根上を自由に移動することができる。
【００１６】
本実施形態の足場板１０によれば、以下の効果が得られる。
足場板本体１２の下部に緩衝材１３を設けることにより、足場板本体１２に作用する衝撃を吸収することができる。また、足場板本体１２の下部に設けた緩衝材１３が瓦屋根やスレート屋根の形状に合わせて変形することにより、足場板本体１２に作用する荷重が広い面積に分散されるため、荷重が局所的に屋根にかかることがなく、屋根を損傷することを防止できる。このことは特に瓦屋根やスレート屋根などの凹凸を有する屋根や強度の低い屋根に対して有効である。
【００１７】
また、足場板本体１２の上面に剛板１１を配置することにより、足場板本体１２に局所的な荷重が作用するのを防ぎ、足場板本体１２が破損するのを防止できる。また、足場板本体１２を発泡スチロールなどの軽量な材料で構成しており、持ち運びなどが容易であるため、施工性を向上し、コストを削減できる。また、緩衝材１３の下面に滑り防止材１４を配置することにより、足場板本体１２と屋根の間で滑りが生じることを防止することができる。
【００１８】
＜第２実施形態＞
図２は、本発明の足場板の第２実施形態を示す斜視図である。同図に示すように、本実施形態の足場板２０は、長方形状に形成された足場板本体２２と、足場板本体２２の上面に貼付された剛板２１と、足場板本体２２の四隅から下方に延びるに設けられた脚部材２７とで構成される。
足場板本体２２は、第１実施形態と同様に、発泡スチロールなどの軽量な材料からなり、足場板２０の芯材として機能する。
また、剛板２１も、第１実施形態と同様に、アルミなどの剛性の高い材料からなる板材であり、表面には作業員の滑り防止のための凹凸２１Ａが設けられている。
【００１９】
脚部材２７は、足場板本体２２より下方に延びるシリンダ２４と、シリンダ２４の先端に取付けられた接地部２６と、足場板本体２２と接地部２６との間にシリンダ２４を取り巻くように設けられたばね２５とで構成される。シリンダ２４としては、油圧シリンダ等を用いれば良い。また、接地部２６はゴムやウレタンなどの柔軟性を有する部材からなる。以上の構成により、脚部材２７は伸縮可能であるとともに軸方向に弾性を有する。
【００２０】
本実施形態の足場板２０は、屋根の上方の側のシリンダ２４を伸縮させることにより、足場板本体２２を水平に保つ。その際、後述するようにばね２５の一部を収縮させない場合には、屋根の上方に当たる側のばね２５と下方に当たる側のばね２５とでは縮み具合が異なるため、夫々のばね２５の剛性が異なる。このため、各脚部材２７に均等に荷重が作用する場合であっても、足場板１０が傾斜してしまう虞がある。
【００２１】
これに対して、本実施形態の足場板２０は、ばね２５の剛性を略均一にするため、ばね固定部材２８を備えている。図３は、ばね固定部材２８の取付けられた足場板本体２２と脚部材２７との接合部の近傍を拡大した図である。同図に示すように、ばね固定部材２８は、各脚部材２７と足場板本体２２との接合部の近傍に取り付けられている。ばね固定部材２８は、足場板本体２２の下面の脚部材２７の接合部の近傍に設置されたガイド部材３１と、ガイド部材３１内をスライド可能なばね保持金具２９と、ばね保持金具２９の動きを固定するロックねじ３０とを備える。ばね保持金具２９は、ガイド部材３１内をスライドするためのスライド部２９Ｂと、スライド部２９Ｂより突出し、ばね２５に向かってＬ字型に折れ曲がった突出部２９Ａとを備える。脚部材２７のばね２５の一部を足場板本体２２側に縮めた状態で、ばね保持金具２９を脚部材２７に向けてスライドさせることにより、突出部２９Ａがばね２５と当接するため、ばね２５の一部を縮めた状態で保持することができる。
【００２２】
足場板２０を傾斜した屋根３２の上に敷設する場合には、図４に示すように、屋根３２の上方側（図４における右側）のシリンダ２４を収縮させる。さらに、屋根３２の上方側（図４における右側）の脚部材２７のばね２５の上部を上方に押し縮めた状態で、ばね保持金具２９をスライドさせ、ばね保持金具２９によりばね２５の上部を収縮するように保持した状態で、ばね保持金具２９をロックねじ３０で固定する。これにより、足場板本体２２を水平に保つことができるとともに、上方の脚部材２７のばね２５及び下方の脚部材２７のばね２５の剛性を略等しくすることができる。
【００２３】
本実施形態の足場板２０によれば、脚部材２７にばね２５を設けることにより、脚部材２７が弾性を付与することができるため、屋根に伝達する衝撃を緩和することができる。また、脚部材２７にシリンダ２４を用いて伸縮可能とすることにより、傾斜を有する屋根であっても、足場板本体２２を水平に保つことができる。また、傾斜を有する屋根に足場板２０を設置した場合には、ばね固定部材２８によりばね２５の上部を縮めた状態で保持することにより、各脚部材２７の弾性を略等しくすることができる。
【００２４】
また、接地部２６をゴム又はウレタンなどの柔軟な部材で構成したため、屋根の表面形状に合わせて変形することができる。また、接地部２６をゴムにすることにより、滑りが生じることを防止できる。
なお、上記の実施形態では脚部材２７をシリンダ２４と、シリンダ２４を取り巻くように設けられたばね２５とで構成したが、これに限らず、脚部材２７を長さを固定するための固定ねじ等の部材を備えた油圧シリンダとしてもよい。このような構成によっても、脚部材２７の長さを屋根の傾斜に合わせて長さを調整して、固定ねじにより長さを固定することにより、足場板を水平に保つことができる。
【図面の簡単な説明】
【００２５】
【図１】本発明の足場板の第１実施形態を示す斜視図である。
【図２】本発明の足場板の第２実施形態を示す斜視図である。
【図３】第２実施形態の足場板の脚部材の接合部付近を拡大した図である。
【図４】第２実施形態の足場板を傾斜した屋根に敷設した状態を示す図である。
【符号の説明】
【００２６】
１０、２０  足場板                      １１、２１  剛板
１２、２２  足場板本体                  １３  クッション材
１４  滑り防止材                        ２４  シリンダ
２５  ばね                              ２６  接地部
２７  脚部材                            ２８  ばね固定部材
２９  ばね保持金具                      ３０  ロックねじ
３１  ガイド部材                        ３２  屋根
【図３】
2008174990.tif 000003
【図４】
2008174990.tif 000004
【図１】
2008174990.tif 000005
【図２】
2008174990.tif 000006